(57)【要約】      （修正有）【課題】使用者のニーズに合致する薄型テレビの設置形態を実現可能な薄型テレビ取付具の提供。【解決手段】壁面上に固定される固定ベースと、該固定ベース上に取付けられるとともに薄型テレビを支持する傾斜機構からなる薄型テレビ取付具であって、前記傾斜機構は取付板と、薄型テレビを固定可能な平板状の支持部を備える回動板と、一端部が回動可能に固定されるとともに、他端部に貫通穴が設けられ、前記第１側壁部上部に形成された貫通穴と前記他端部の貫通穴を一致させ、固定軸をこれら貫通穴に挿入することにより、前記取付板の取付部と前記回動板の支持部が平行となることを特徴とする薄型テレビ取付具。【選択図】図１１
2007096367.tif 000002
【特許請求の範囲】
【請求項１】
壁面上に固定される略平板状の固定ベースと、該固定ベース上に取付けられるとともに薄型テレビを支持する傾斜機構からなる薄型テレビ取付具であって、
前記傾斜機構は、前記固定ベースに取付けられる平板状の取付部と該取付部の両側縁から前記壁面に対して直角方向に突出する一対の第１側壁部を備える取付板と、
前記第１側壁部下部に形成された貫通穴に挿入される軸部を介して前記取付板に対して回動可能に接続する一対の第２側壁部と、該一対の第２側壁部正面側縁部と接続するとともに正面側の面で薄型テレビを固定可能な平板状の支持部を備える回動板と、
前記第２側壁部上部に対して一端部が回動可能に固定されるとともに、他端部に貫通穴が設けられ、前記第１側壁部上部に形成された貫通穴と前記他端部の貫通穴を一致させ、固定軸をこれら貫通穴に挿入することにより、前記第１側壁部上部と前記第２側壁部上部を接続するステーからなり、
前記ステーの回動軸に穴部が形成され、該穴部と前記第１側壁部上部に形成される前記貫通穴とが重ね合わせられ、前記穴部と前記第１側壁部の前記貫通穴に固定軸が挿入されると、前記取付板の前記取付部と前記回動板の前記支持部が平行となることを特徴とする薄型テレビ取付具。
【請求項２】
前記第１側壁部上部に形成される貫通穴が複数設けられ、
該複数の貫通穴のうち１つに前記穴部が重ね合わせられることを特徴とする請求項１記載の薄型テレビ取付具。
【請求項３】
前記穴部がねじ穴であり、該穴部に挿入される固定軸がボルトであることを特徴とする請求項１記載の薄型テレビ取付具。
【請求項４】
前記固定ベースが、該固定ベースから正面側に突出する係合片を備え、
前記取付板の取付部が、係合片によって係合される開口部を備えることを特徴とする請求項１記載の薄型テレビ取付具。
【請求項５】
前記ステーが、側方に突出する把持片を備えることを特徴とする請求項２記載の薄型テレビ取付具。
【発明の詳細な説明】
【技術分野】
【０００１】
本発明は、壁掛けタイプの薄型テレビを取付けるための取付具に関し、より詳しくは、使用者のニーズに応じて薄型テレビのディスプレイ面を取付けられる壁面に対して平行な状態とすることが可能な取付具に関する。
【背景技術】
【０００２】
近年のプラズマ・ディスプレイの技術革新により、大面積且つ薄型のテレビが開発され、市販されるようになってきている。このような薄型テレビは、従来の床面載置型のテレビと異なり、家屋の壁面に取付けられる。これにより、家屋の居住空間においてテレビが占める面積割合を低減することができることとなる。
【０００３】
このような薄型テレビの壁面への取付けには、例えば、特許文献１に開示されるような取付具が用いられる。
図１２は、特許文献１に開示される取付具の概略構造を示す。図１２（ａ）は、従来の取付具を用いた取付形態を示す斜視図であり、図１２（ｂ）は、図１２（ａ）に示す従来の取付形態の側面図であり、図１２（ｃ）は、図１２（ｂ）の取付形態とは異なる角度で薄型テレビを支持する形態を示す。
【０００４】
図１２に示す如く、特許文献１に開示される取付具（Ａ）は、壁面に直接取付けられる一対の固定柱（Ｆ）と、固定柱（Ｆ）下端と接続するとともに固定柱（Ｆ）下端を軸にして回動する一対の傾斜柱（Ｔ）と、固定柱（Ｆ）と傾斜柱（Ｔ）とを接続するステー（Ｃ）を備える。傾斜柱（Ｔ）には薄型テレビ（Ｍ）が固定される。
傾斜柱（Ｔ）は、長穴形状の傾斜位置調整穴（Ｔ１）を備え、傾斜位置調整穴（Ｔ１）は、固定柱（Ｆ）側縁に位置決め用凹部（Ｔ２）を複数備える。
ステー（Ｃ）の一端部に備えられた固定軸（Ｃ１）を位置決め用凹部（Ｔ２）に係合させることにより、所定角度で傾斜柱（Ｔ）を固定柱に対して選択的に傾斜させることが可能となる。
【０００５】
【特許文献１】特開２００２−１５２６２８号公報
【発明の開示】
【発明が解決しようとする課題】
【０００６】
図１２（ｃ）に示すように、特許文献１に代表されるような従来の取付具（Ａ）は、薄型テレビ（Ｍ）のディスプレイ面を傾斜させて支持可能であり、またディスプレイ面の傾斜角度を変更可能であるが、ディスプレイ面を壁面に対して平行にすることはできなかった。
【０００７】
図１２（ｂ）は、従来の取付具（Ａ）により支持される薄型テレビを視聴する状態を示す。
従来の取付具（Ａ）は、テレビを視聴する者が床上に着座しているような場合など、低い位置からテレビ（Ｍ）を見るときには好適に使用可能であるが、例えば、ダイニング・ルームなどに薄型テレビが配され、テーブル椅子に視聴者が着座しているような場合など、視聴者の目の位置が薄型テレビ（Ｍ）のディスプレイ面と略同高さにあるときには、視聴者の視線はディスプレイ面に対して直角ではなく傾斜した状態となるので、ディスプレイ上の画像を視認しにくいという問題を生ずる。
【０００８】
このような問題を解決するために、テレビ（Ｍ）の配置位置を上方に配することも可能であるが、特にダイニング・ルームにテレビ（Ｍ）が配される場合には、視聴者は食事中であり、その基本姿勢は顔を下方に向けており、上方に配されたテレビ（Ｍ）を視聴するためには大きく首を上下に振る必要がある。
【０００９】
更なる問題点として、傾斜したテレビ（Ｍ）は、壁面（Ｗ）から大きく突出することが挙げられる。この問題は、特に大きな画面を有するテレビ（Ｍ）において顕著である。
上述の如く、薄型テレビ（Ｍ）の大きな利点の１つは、薄型テレビ（Ｍ）が設置場所を最小限化できるという点である。しかしながら、従来の取付具（Ａ）を用いれば、薄型テレビ（Ｍ）の厚さ以上に壁面から大きく突出することとなり、その突出量はテレビ（Ｍ）の画面が大きくなればなるほど、大きくなる。したがって、従来の取付具（Ａ）は薄型テレビ（Ｍ）の有する大きな利点を損なう原因を有するといえる。
本発明は、上記実情を鑑みてなされたものであって、使用者のニーズに合致する薄型テレビの設置形態を実現可能な薄型テレビ取付具を提供することを目的とする。
【課題を解決するための手段】
【００１０】
請求項１記載の発明は、壁面上に固定される略平板状の固定ベースと、該固定ベース上に取付けられるとともに薄型テレビを支持する傾斜機構からなる薄型テレビ取付具であって、前記傾斜機構は、前記固定ベースに取付けられる平板状の取付部と該取付部の両側縁から前記壁面に対して直角方向に突出する一対の第１側壁部を備える取付板と、前記第１側壁部下部に形成された貫通穴に挿入される軸部を介して前記取付板に対して回動可能に接続する一対の第２側壁部と、該一対の第２側壁部正面側縁部と接続するとともに正面側の面で薄型テレビを固定可能な平板状の支持部を備える回動板と、前記第２側壁部上部に対して一端部が回動可能に固定されるとともに、他端部に貫通穴が設けられ、前記第１側壁部上部に形成された貫通穴と前記他端部の貫通穴を一致させ、固定軸をこれら貫通穴に挿入することにより、前記第１側壁部上部と前記第２側壁部上部を接続するステーからなり、前記ステーの回動軸に穴部が形成され、該穴部と前記第１側壁部上部に形成される前記貫通穴とが重ね合わせられ、前記穴部と前記第１側壁部の前記貫通穴に固定軸が挿入されると、前記取付板の前記取付部と前記回動板の前記支持部が平行となることを特徴とする薄型テレビ取付具である。
【００１１】
請求項２記載の発明は、前記第１側壁部上部に形成される貫通穴が複数設けられ、該複数の貫通穴のうち１つに前記穴部が重ね合わせられることを特徴とする請求項１記載の薄型テレビ取付具である。
請求項３記載の発明は、前記穴部がねじ穴であり、該穴部に挿入される固定軸がボルトであることを特徴とする請求項１記載の薄型テレビ取付具である。
請求項４記載の発明は、前記固定ベースが、該固定ベースから正面側に突出する係合片を備え、前記取付板の取付部が、係合片によって係合される開口部を備えることを特徴とする請求項１記載の薄型テレビ取付具である。
請求項５記載の発明は、前記ステーが、側方に突出する把持片を備えることを特徴とする請求項２記載の薄型テレビ取付具である。
【発明の効果】
【００１２】
請求項１記載の発明によれば、使用者の所望に応じて、薄型テレビのディスプレイ面を壁面に対して傾斜させること及び平行な位置に保つことの両方を、使用者が選択することが可能である。したがって、例えば使用者が、薄型テレビを壁面から突出させたくないような場合にも好適に使用可能となる。
請求項２記載の発明によれば、使用者が薄型テレビの傾斜姿勢を複数選択することが可能である。
請求項３記載の発明によれば、ねじを螺合させることのみで、壁面に対して薄型テレビのディスプレイ面を平行な位置としたときの姿勢を確実に維持することができる。
請求項４記載の発明によれば、傾斜機構が固定ベースに対して着脱自在であるので、取付具の壁面への固定並びに薄型テレビの取り付けが非常に容易となる。
請求項５記載の発明によれば、ステーの回動動作を容易に行うことが可能となり、傾斜姿勢の選択を容易に行うことができる。
【発明を実施するための最良の形態】
【００１３】
以下、本発明に係る薄型テレビ取付具の実施形態について、図を参照しつつ説明する。
図１は、薄型テレビ取付具の側面図を示し、薄型テレビ取付具は、壁面上に固定され、薄型テレビを傾斜した状態で支持している。
薄型テレビ取付具（１）は、壁面（Ｗ）上に直接取付けられる固定ベース（２）と、固定ベース（２）に取付けられる傾斜機構（３）からなる。
傾斜機構（３）は、固定ベース（２）に取付けられる取付板（４）と、薄型テレビ（Ｍ）を支持するとともに取付板（４）に対して回動可能に取付けられる回動板（５）と、取付板（４）と回動板（５）を接続するステー（６）からなる。
【００１４】
図２は、固定ベース（２）を示す。図２（ａ）は固定ベース（２）の正面図であり、図２（ｂ）は、固定ベース（２）の底面図であり、図２（ｃ）は固定ベース（２）の右側面図である。
図２に示す固定ベース（２）は、１枚の薄板から形成される。固定ベース（２）は、正面視略矩形状に形成される壁面取付部（２１）と、壁面取付部（２１）の両側縁に沿って、壁面取付部（２１）に対して直角に折り曲げて形成される一対の側壁部（２２）と、壁面取付部（２１）の下縁に沿って、壁面取付部（２１）に対して直角に折り曲げて形成される下壁部（２３）からなる。
【００１５】
側壁部（２２）及び下壁部（２３）の突出方向が正面方向である。壁面取付部（２１）の背面側は壁面（Ｗ）に当接し、壁面（Ｗ）に固定される（図１参照）。
壁面取付部（２１）の四縁に沿って複数の貫通穴（２１１）が形成されている。また、壁面取付部（２１）の幅方向中心線に沿って複数の貫通穴（２１１）が形成されている。更に、壁面取付部（２１）上縁左右端付近に左右方向に延びる一対の長穴（２１２）が形成されている。
【００１６】
固定ベース（２）を壁面（Ｗ）上に取付ける際には、壁面取付部（２１）の背面側の面を壁面（Ｗ）上に当接させ、長穴（２１２）にビスを挿入し、該ビスを壁面（Ｗ）に打ち込む。その後、固定ベース（２）の左右方向位置を調整した後、各貫通穴（２１１）にビスを挿入し、該ビスを壁面（Ｗ）に打ち込んで、固定ベース（２）が壁面（Ｗ）上に固定される。
【００１７】
壁面取付部（２１）は、更に、正面側に突出する４つの係合片（２１３）を備える。係合片（２１３）は上下左右にそれぞれ１つ形成され、係合片（２１３）を結んだ領域は矩形領域となる。
図３は、係合片（２１３）の拡大図であり、図３（ａ）は係合片（２１３）の正面図であり、図３（ｂ）は係合片（２１３）の縦断面図である。
係合片（２１３）は、壁面取付部（２１）を逆Ｕ字形状に打ち抜き加工し、打ち抜き加工して得られた開口部内を上方に向かって突出する板片を折り曲げ加工することにより形成される。
図３に示す例において、係合片（２１３）下縁が壁面取付部（２１）に対して直角正面側に向かって折り曲げられている。その後、係合片（２１３）は上方に向けて再度直角に折り曲げられ、更に係合片（２１３）上端付近で、正面方向に向けて所定角度（図３に示す例においては、３０°）で折り曲げられている。結果として、係合片（２１３）と壁面取付部（２１）との距離は、係合片（２１３）上端に向けて広くなっている。
更に、壁面取付部（２１）はその下縁において、逆Ｕ字形状の切り込み部（２１４）が形成されている。
【００１８】
図４は、取付板（４）を示す。図４（ａ）は、取付板（４）の正面図であり、図４（ｂ）は取付板（４）の底面図であり、図４（ｃ）は取付板（４）の右側面図である。
図４に示す取付板（４）は、１枚の薄板から形成される。取付板（４）は、正面視略矩形状に形成される取付部（４１）と、取付部（４１）の両側縁に沿って、取付部（４１）に対して直角に折り曲げて形成される一対の第１側壁部（４２）と、取付部（４１）の下縁に沿って、取付部（４１）に対して直角に折り曲げて形成される下壁部（４３）からなる。
尚、第１側壁部（４２）並びに下壁部（４３）はともに正面側に向かって折り曲げられている。
【００１９】
取付部（４１）の中央領域（４１１）は、正面側に突出した矩形領域である。中央領域（４１１）の左右の領域（４１２）の背面は、固定ベース（２）の正面側の面と当接する。左右領域（４１２）には、上下方向に延びる４つの開口部（４１３）が形成されている。開口部（４１３）は下方に向けて開口面積が大きくなっている。
【００２０】
図５は、取付板（４）を固定ベース（２）に係合させた状態を正面から見た図である。
取付部（４１）の４つの開口部（４１３）は、それぞれ固定ベース（２）に設けられた４つの係合片（２１３）の位置に対応している。
取付板（４）の下壁部（４３）の下面が、固定ベース（２）の下壁部（２３）の上面に当接したとき、係合片（２１３）は開口部（４１３）の上端縁を支持することとなる。
尚、このとき係合片（２１３）は、その上端に向かうにつれて壁面取付部（２１）との距離が大きくなっており、取付板（４）の開口部（４１３）が縦長に形成されているので、固定ベース（２）への取付板（４）の係合作業を容易に行うことができる。
【００２１】
図２に示されるように、固定ベース（２）の下壁部（２３）には一対の貫通穴（２３１）が形成されている。また、図４に示されるように取付板（４）の下壁部（４３）には一対のねじ穴（４３１）が形成されている。尚、ねじ穴（４３１）が形成される下壁部（４３）は他の部分より肉厚に形成され、ねじ穴（４３１）に螺合するねじとの噛合わせが十分に可能とされている。
図５に示す如く、取付板（４）が固定ベース（２）に係合された後、固定ベース（２）の下壁部（２３）の下方からねじが挿入され、該ねじは取付板（４）の下壁部（４３）に形成されるねじ穴（４３１）と螺合する。これにより、取付板（４）は固定ベース（２）に確実に固定されることとなる。
【００２２】
上述の如く、取付部（４１）の中央領域（４１１）は、正面側に向かって突出している。これにより、固定ベース（２）の壁面取付部（２１）と中央領域（４１１）との間には空間が形成される。したがって、固定ベース（２）の幅方向中央位置において、固定ベース（２）と壁面（Ｗ）を接続するために用いられるビスの頭と、取付板（４）との干渉が防止される。
尚、図５において明らかなように、取付板（４）の幅並びに高さは、固定ベース（２）の幅並びに高さよりも小さく形成される。したがって、固定ベース（２）の上縁並びに左右側縁付近において、壁面（Ｗ）と固定ベース（２）とを接続するために用いられるビスの頭部が、取付板（４）と干渉することはない。
【００２３】
図４及び図５に示す如く、取付部（４１）の中央領域（４１１）には、円形の開口部（４１４）が形成されている。この開口部（４１４）は、取付板（４）と薄型テレビ（Ｍ）背面に形成される突出部との干渉を防ぐために設けられ、薄型テレビ（Ｍ）背面の突出部は開口部（４１４）内に挿入される。
尚、薄型テレビ（Ｍ）背面から延出するケーブル類をこの開口部（４１４）に挿入することも可能である。
取付板（４）下縁には、矩形状の切り込み部（４１５）が形成されている。
【００２４】
図４に示す如く、取付板（４）の第１側壁部（４２）は、その下端付近において、正面側に突出する半円形状の接続部（４２１）を備える。接続部（４２１）は取付板（４）の中心に向かって突出する。また、接続部（４２１）の中央には貫通穴（４２２）が形成されている。
後述するように、この貫通穴（４２２）にはピンやボルトなどの固定軸が挿入され、回動板（５）下端と接続可能とされる。
【００２５】
第１側壁部（４２）上部は、他の部分より幅広に形成されている。この部分に複数の貫通穴（４２３）が形成される。
後述するように、この貫通穴（４２３）にはピンやボルトなどの固定軸が挿入され、該固定軸がステー（６）の一端部に形成される貫通穴に挿入されることで、取付板（４）と回動板（５）の上部同士が接続されることとなる。
貫通穴（４２３）の配置は、回動板（５）に対する設定傾斜角度に応じて適宜定められる。
【００２６】
図６は、回動板（５）を示す。図６（ａ）は、回動板（５）の正面図であり、図６（ｂ）は、回動板（５）の底面図であり、図６（ｃ）は、回動板（５）の側面図である。
図６に示す回動板（５）は、１枚の薄板から形成される。回動板（５）は、正面視矩形状に形成される平板状の支持部（５１）と、支持部の両側縁に沿って、支持部（５１）に対して直角に折り曲げて形成される一対の第２側壁部（５２）からなる。第２側壁部（５２）は、背面側に向かって折り曲げられている。
【００２７】
支持部（５１）の中央には、円形の開口部（５１１）が形成され、開口部（５１１）の周囲に９０°ピッチで貫通穴（５１２）が形成されている。また、支持部（５１）の左右側縁に沿って、貫通穴（５１２）が一列に配列されている。
開口部（５１１）は、取付部（４１）に形成される開口部（４１４）と対応する位置にあり、薄型テレビ（Ｍ）の背面突出部が挿入可能とされる。また、貫通穴（５１２）は、薄型テレビ（Ｍ）を支持部（５１）正面側の面に固定するために形成されたものであり、取付けられる薄型テレビ（Ｍ）の種類に応じて、貫通穴（５１２）の配置並びに大きさは適宜定められる。
支持部（５１）の下縁には正面視矩形状の切り込み部（５１３）が形成されている。
【００２８】
第２側壁部（５２）は、その下端付近において、背面側に突出する半円形状の接続部（５２１）を備える。接続部（５２１）は、回動板（５）左右外側方向に突出する。接続部（５２１）の中央には貫通穴（５２２）が形成されている。
後述するように、回動板（５）が取付板（４）に取付けられるとき、回動板（５）の接続部（５２１）と取付板（４）の接続部（４２１）が合わせられ、これら接続部（５２１，４２１）に形成された貫通穴（５２２，４２２）にピンやボルトなどの固定軸が挿入される。これにより、回動板（５）は取付板（４）に回動可能に取り付けられ、貫通穴（５２２，４２２）に挿入された固定軸を中心として、回動板（５）は回動動作をすることができる。
【００２９】
第２側壁部（５２）上部は、他の部分より幅広に形成された耳部（５２３）を備える。耳部（５２３）の下端付近には、回動板（５）左右外側方向に突出する円形領域が形成され、この円形領域がステー（６）の一端部と接続するステー接続部（５２４）とされる。
ステー接続部（５２４）には、貫通穴（５２５）が形成される。貫通穴（５２５）の外縁とステー接続部（５２４）の外縁との間に示される点線部分内部領域は、後述するカシメ加工される部分である。
【００３０】
図７は、ステー（６）を示す。図７（ａ）は、ステー（６）の正面図であり、図７（ｂ）はステー（６）の底面図であり、図７（ｃ）はステー（６）の右側面図である。尚、図７に示すステー（６）は、回動板（５）右側の第２側壁部（５２）に取付けられるものであり、回動板（５）左側の第２側壁部（５２）に取付けられるステー（６）は、図７に示すものと対称の形状とされる。
【００３１】
図７に示すステー（６）は、１枚の薄板片から形成される。ステー（６）は、その両端部に一対の貫通穴（６１）を備え、ステー（６）上方に形成される貫通穴（６１）には螺子切加工が施されている。螺子切加工により十分な数のねじ山を確保するため、ステー（６）上方の貫通穴（６１）形成部分は他の部分より肉厚に形成されている。
ステー（６）下方に形成される貫通穴（６１）は後述するカシメ加工が施される。
ステー（６）長手方向略中間位置において、ステー（６）正面側縁部から右方に延出する把持片（６２）が形成されている。把持片（６２）は、背面方向に向けて若干傾斜している。
【００３２】
図８は、ステー（６）を回動板（５）に取り付けた状態を示す。図８（ａ）は、ステー（６）が取付けられた回動板（５）の正面図であり、図８（ｂ）は、ステー（６）が取付けられた回動板（５）の底面図であり、図８（ｃ）は、ステー（６）が取付けられた回動板（５）の右側面図である。
ステー（６）の把持片（６２）のうち、ステー（６）に対して直角に折れ曲がった部分は、回動板（５）正面側の面に対して面一とされる。
また、ステー（６）の下側の貫通穴（６１）は、回動板（５）の耳部（５２３）に形成される貫通穴（５２５）と接続される。
【００３３】
図９は、ステー（６）の貫通穴（６１）と、回動板（５）の耳部（５２３）に形成される貫通穴（５２５）との接続工程を示す図である。図９（ａ）乃至図９（ｄ）は、それぞれ接続工程を、順を追って示している。
図９（ａ）に示す如く、ステー（６）の貫通穴（６１）と耳部（５２３）の貫通穴（５２５）の中心位置を一致させて、ステー（６）と耳部（５２３）とを重ねる。
その後、図９（ｂ）に示す如く、ステー（６）の貫通穴（６１）周縁領域を耳部（５２３）側へ折り曲げる。このとき、耳部（５２３）の貫通穴（５２５）周縁領域も同時に折り曲げられる。
そして、図９（ｃ）に示す如く、耳部（５２３）側へ折り曲げられ突出した部分は、再度、これら貫通穴（６１，５２５）外方に向けて折り返される。
このようにして、ステー（６）の貫通穴（６１）周辺部分は、耳部（５２３）の貫通穴（５２５）内に挿入されることとなり、この貫通穴（６１）周辺部分は、ステー（６）を耳部（５２３）に固定するための固定軸（６１１）となる。この固定軸（６１１）を中心にして、ステー（６）は耳部（５２３）に対して回転可能となる。また、上記のカシメ加工（折り曲げ工程）の結果、固定軸（６１１）は、その中心に穴部（６１２）を備えることとなる。
最後に、図９（ｄ）に示す如く、穴部（６１２）にタップ加工を施して、穴部（６１２）内壁部にねじ部を形成する。
【００３４】
図１０は、回動板（５）と取付板（４）が平行な状態とされたときの傾斜機構（３）を示す。図１０（ａ）は、傾斜機構（３）の正面図であり、図１０（ｂ）は傾斜機構（３）の底面図であり、図１０（ｃ）は傾斜機構（３）の右側面図である。
回動板（５）の幅は、取付板（４）の幅よりも若干狭く形成される。したがって、回動板（５）の両脇には狭い空間が形成される。この狭い空間にステー（６）が収容される。ステー（６）の把持片（６２）は、取付板（４）の第１側壁部（４２）正面側縁を越えて、傾斜機構（２）側方へ突出している。これにより、回動板（５）の回動動作を容易に行うことが可能となる。
【００３５】
取付板（４）の接続部（４２１）は傾斜機構（２）の内方に突出し、回動板（５）の接続部（５２１）は傾斜機構（３）の中心に対して外方に突出している。これら接続部（４２１，５２１）の突出側の面は、互いに当接し、回動板（５）両脇に形成される空間を均等にする。接続部（４２１，５２１）に形成された貫通穴（４２２，５２２）には、ピン、ボルト或いはリベットなどの固定軸が挿入され、回動板（５）は取付板（４）に対して回動可能に固定される。
【００３６】
回動板（５）と取付板（４）が平行の状態とされたとき、回動板（５）の耳部（５２３）の背面側縁は、取付板（４）の正面側の面に当接する。このとき、第２側壁部（５２）に形成された穴部（６１２）（図９参照）は、第１側壁部（４２）に形成された複数の貫通穴（４２３）のうち１つと一致する（図１０に示す例において、最下位置に形成された貫通穴（４２３）と穴部（６１２）が一致している）。
この穴部（６１２）と一致する貫通穴（４２３）にボルト等の固定軸を外方から挿入し、穴部（６１２）に形成されたねじ部とボルトを螺合させることにより、回動板（５）は取付板（４）に対して平行な状態で保たれる。
これにより、薄型テレビのディスプレイ面を壁面に対して平行な状態にして取り付けることができ、従来の取付具よりも幅広い取付形態を実現可能となる。
【００３７】
図１０に示す状態から、回動板（５）を傾斜させるには（図１参照）、貫通穴（４２３）と穴部（６１２）を接続する固定軸を取り除き、回動板（５）を接続部（４２１，５２１）の貫通穴（４２２，５２２）に取付けられた固定軸を回動中心として回動させ、ステー（６）の自由端部に形成された貫通穴（６１）を、第１側壁部（４２）に形成された複数の貫通穴（４２３）のうち１つに一致させ、貫通穴（６１）及び該貫通穴（６１）に一致する第１側壁部（４２）の貫通穴（４２３）にピンやボルトといった固定軸を挿通させることで、所望の傾斜角度で回動板（５）を固定可能である。また、第１側壁部（４２）に複数の貫通穴（４２３）が形成されているので、回動板（５）の傾斜角度を選択可能である。
【００３８】
図１１は、回動板（５）と壁面（Ｗ）とを平行な状態にして、薄型テレビ（Ｍ）を取り付けた状態を示す。
図１１に示すように、本発明の取付具（１）は、回動板（５）と壁面（Ｗ）とを平行な状態にして薄型テレビ（Ｍ）を壁面（Ｗ）上に固定可能である。このとき、薄型テレビ（Ｍ）の壁からの突出量を最小にすることが可能である。
更に、薄型テレビ（Ｍ）の視聴者の頭部が、薄型テレビ（Ｍ）の設置高さと略等しい高さであるときにおいても、視聴者の視線が薄型テレビ（Ｍ）のディスプレイ面に対して直角とすることができるので、薄型テレビ（Ｍ）を非常に視聴しやすくなる。
【産業上の利用可能性】
【００３９】
本発明は、薄型テレビの取付具並びに取付作業に好適に適用される。
【図面の簡単な説明】
【００４０】
【図１】本発明に係る取付具の概略全体図である。
【図２】本発明に係る取付具の固定ベースを示す図である。
【図３】本発明に係る取付具の固定ベースに形成された係合片を示す図である。
【図４】本発明に係る取付具の取付板を示す図である。
【図５】本発明に係る取付具の取付板を固定ベースに取り付けた状態を示す図である。
【図６】本発明に係る取付具の回動板を示す図である。
【図７】本発明に係る取付具のステーを示す図である。
【図８】本発明に係る取付具のステーを回動板に取り付けた状態を示す図である。
【図９】本発明に係る取付具のステーと回動板との接続部分の形成工程を示す図である。
【図１０】本発明に係る取付具の傾斜機構を示す図である。
【図１１】本発明に係る取付具に薄型テレビを取り付けた状態を示す図である。
【図１２】従来の取付具を示す図である。
【符号の説明】
【００４１】
１・・・・・取付具
２・・・・・固定ベース
２１３・・・係合片
３・・・・・傾斜機構
４・・・・・取付板
４１・・・・取付部
４２・・・・第１側壁部
４２２・・・貫通穴
４２３・・・貫通穴
５・・・・・回動板
５１・・・・支持部
５２・・・・第２側壁部
５２２・・・貫通穴
６・・・・・ステー
６１・・・・貫通穴
６１１・・・固定軸
６１２・・・穴部
６２・・・・把持片
【図１】
2007096367.tif 000003
【図２】
2007096367.tif 000004
【図３】
2007096367.tif 000005
【図４】
2007096367.tif 000006
【図５】
2007096367.tif 000007
【図６】
2007096367.tif 000008
【図７】
2007096367.tif 000009
【図８】
2007096367.tif 000010
【図９】
2007096367.tif 000011
【図１０】
2007096367.tif 000012
【図１１】
2007096367.tif 000013
【図１２】
2007096367.tif 000014